(57)【要約】      （修正有）【課題】コンクリート基礎から立ち上がるアンカーボルトの姿勢の傾き等を確実に検出し、且つ簡単、確実に所定の姿勢へと矯正することができるアンカーボルト姿勢矯正具を提供する。【解決手段】コンクリート基礎から上方に突出するように埋め込まれるアンカーボルトの姿勢を矯正するためのアンカーボルト姿勢矯正具であって、アンカーボルトに対して差し込み自在とされる矯正具本体１０と、該矯正具本体１０の一部に配置されてアンカーボルトの立ち上り姿勢の状態を表示する姿勢表示部２０とを備え、前記矯正具本体１０はアンカーボルトへの差し込み穴１１を備えた直管体で構成すると共に、前記姿勢表示部２０は、前記矯正具本体１０の直管体の一端部に配置されるキャップ部２１と該キャップ部２１の上面に設けられる水準器２２とを少なくとも備える。【選択図】図２
2020117904.tif 000002
【特許請求の範囲】
【請求項１】
コンクリート基礎から上方に突出するように埋め込まれるアンカーボルトに対して、その姿勢を矯正するためのアンカーボルト姿勢矯正具であって、コンクリート基礎から立ち上がるアンカーボルトに対して差し込み自在とされる矯正具本体と、該矯正具本体の一部に配置されてアンカーボルトの立ち上り姿勢の状態を表示する姿勢表示部とを備え、
前記矯正具本体はアンカーボルトへの差し込み穴を備えた直管体で構成すると共に、前記姿勢表示部は、前記矯正具本体の直管体の一端部に配置されるキャップ部と該キャップ部の上面に設けられる水準器とを少なくとも備えることを特徴とするアンカーボルト姿勢矯正具。
【請求項２】
姿勢表示部は、そのキャップ部が矯正具本体の直管体の端部に対して着脱自在に嵌合するように構成していることを特徴とする請求項１に記載のアンカーボルト姿勢矯正具。
【請求項３】
矯正具本体は、２種類の内径寸法からなる差し込み穴を直管体の両端に開口して構成しており、姿勢表示部は、そのキャップ部が矯正具本体の直管体の両端部の何れに対しても着脱自在に配置されるように構成していることを特徴とする請求項１又は２に記載のアンカーボルト姿勢矯正具。
【請求項４】
矯正具本体の差し込み穴は、その内径が差し込まれるアンカーボルトの外径に対して、すきまばめのはめあいとなるように構成していることを特徴とする請求項１〜３の何れかに記載のアンカーボルト姿勢矯正具。
【発明の詳細な説明】
【技術分野】
【０００１】
本発明はアンカーボルト姿勢矯正具に関し、より詳しくは、コンクリートの基礎から上方に突出するように埋め込まれたアンカーボルトの立ち上り姿勢を矯正するためのアンカーボルト姿勢矯正具に関する。
【背景技術】
【０００２】
建造物等の建造に際しては、図８を参照して、一般的にはコンクリートによる基礎１を先ず地面上等に構築する場合が多い。その場合、コンクリート基礎１からアンカーボルト２が突出して立ち上がるようにしてアンカーボルト２を埋め込む。アンカーボルト２の主たる役割は、コンクリート基礎１の上に構築される建物の土台（図示せず）とコンクリート基礎１との間における連結を確実にし、建物の土台がコンクリート基礎１から浮いたり、外れたりしないようにすることである。
よってアンカーボルト２の立ち上り姿勢が傾いていたりすると、土台と基礎１との連結状態が悪くなり、好ましくない。
【先行技術文献】
【特許文献】
【０００３】
【特許文献１】特開２０１７−２０２８８号公報
【特許文献２】特開２０１５−１０４６６号公報
【発明の概要】
【発明が解決しようとする課題】
【０００４】
上記特許文献１は、アンカーボルト位置決め工具に関し、取手（２）、支柱（３）カットスクリュー傾斜支柱部（４）、先端凹部およびボルト押さえ（５）、アンカーボルト受け部（６）等を備えた工具（１）を用い、この工具を、土台（９）の上からアンカーボルト（７）のある土台（９）の穴に差し込んで、てこの原理でアンカーボルト（７）の姿勢を正す構成が開示されている。
しかしながら、この特許文献１のアンカーボルト位置決め工具（１）は、土台（９）を取り付けた後にアンカーボルト（７）の姿勢を矯正するものであり、アンカーボルト（７）が土台（９）の穴に入ることを前提にした工具である。よって土台（９）が取り付けられる前にはアンカーボルト（７）の姿勢を矯正できない工具である。
上記特許文献２は、アンカーボルト台治し工具に関し、無垢の丸棒（１）にラチェットレンチ（６）を差し込むことができる正六角形（２）と、アンカーボルト（４）に差し込めるネジ穴部（３）を設けた工具が開示されている。そして鋼管（８）等を無垢の丸棒（１）に差し込んで曲げることで、アンカーボルト（４）の姿勢を矯正することが開示されている。
しかしながら、この特許文献２に開示される工具そのものは、無垢の丸棒（１）にラチェットレンチ（６）を差し込むことができる正六角形（２）とアンカーボルト（４）に差し込めるネジ穴部（３）とを設けた治具を必要とするものであり、この治具をアンカーボルト（４）に螺合させる必要がある。そして鋼管（８）は、この治具に対して差し込む必要がある。
一方、上記特許文献２の明細書には、その［背景技術］の段落［０００２］に「アンカーボルトに鋼管を差込んで直していた。」と記載され、また［発明が解決しようとする課題］の段落［０００４］に「鋼管をアンカーボルトに差込んで建ちを直す」といった記載がなされている。
しかしながら、これらの記載は、アンカーボルトの姿勢矯正に鋼管を用いていたという点が推測されるだけであり、例えばどのような形状や穴径の鋼管を用いたのか、アンカーボルトの姿勢が傾いていることをどのようにして判定したのか、アンカーボルトの姿勢が矯正されたか否かをどのようにして判定したのか等、全く不明である。おそらくアンカーボルトに差し込んだ鋼管を目分量で曲げたと推測できるが、それではアンカーボルトの姿勢が正しく矯正されることはない。
【０００５】
そこで本発明は上記従来における問題点を解決し、コンクリート基礎から立ち上がるアンカーボルトの姿勢の傾き等を確実に検出し、且つ簡単、確実に所定の姿勢へと矯正することができるアンカーボルト姿勢矯正具の提供を課題とする。
【課題を解決するための手段】
【０００６】
上記課題を達成するため、本発明のアンカーボルト姿勢矯正具は、コンクリート基礎から上方に突出するように埋め込まれるアンカーボルトに対して、その姿勢を矯正するためのアンカーボルト姿勢矯正具であって、コンクリート基礎から立ち上がるアンカーボルトに対して差し込み自在とされる矯正具本体と、該矯正具本体の一部に配置されてアンカーボルトの立ち上り姿勢の状態を表示する姿勢表示部とを備え、
前記矯正具本体はアンカーボルトへの差し込み穴を備えた直管体で構成すると共に、前記姿勢表示部は、前記矯正具本体の直管体の一端部に配置されるキャップ部と該キャップ部の上面に設けられる水準器とを少なくとも備えることを第１の特徴としている。
また本発明のアンカーボルト姿勢矯正具は、上記第１の特徴に加えて、姿勢表示部は、そのキャップ部が矯正具本体の直管体の端部に対して着脱自在に嵌合するように構成していることを第２の特徴としている。
また本発明のアンカーボルト姿勢矯正具は、上記第１又は第２の特徴に加えて、矯正具本体は、２種類の内径寸法からなる差し込み穴を直管体の両端に開口して構成しており、姿勢表示部は、そのキャップ部が矯正具本体の直管体の両端部の何れに対しても着脱自在に配置されるように構成していることを第３の特徴としている。
また本発明のアンカーボルト姿勢矯正具は、上記第１〜第３の何れかの特徴に加えて、矯正具本体の差し込み穴は、その内径が差し込まれるアンカーボルトの外径に対して、すきまばめのはめあいとなるように構成していることを第４の特徴としている。
【発明の効果】
【０００７】
請求項１に記載のアンカーボルト姿勢矯正具によれば、コンクリート基礎から立ち上がるアンカーボルトに対して、矯正具本体がその直管体の差し込み穴の先端から差し込まれる。
矯正具本体の直管体の他端部（一端部）には姿勢表示部がそのキャップ部に配置され、キャップ部の上面に設けられた水準器が直管体の傾き具合を表示している。
アンカーボルトの立ち上がり姿勢が垂直姿勢である場合には、差し込まれた矯正具本体の直管体も垂直姿勢となるので、姿勢表示部の水準器が直管体の垂直姿勢を示す。よってアンカーボルトの立ち上り姿勢が垂直であることが判断できる。この場合はアンカーボルトの姿勢を矯正する必要が無いので、矯正具本体の直管体をアンカーボルトから引き抜くことで、そのアンカーボルトに対する作業が終了する。
一方、アンカーボルトの立ち上がり姿勢が傾斜している場合には、差し込んだ矯正具本体の直管体も傾斜姿勢となるので、姿勢表示部の水準器が傾斜姿勢を示す。これによりアンカーボルトの立ち上り姿勢が傾斜していることが判断できる。この場合には、作業者は矯正具本体の直管体を傾斜姿勢の解消される方向に矯正操作することになる。水準器が直管体の垂直姿勢を示した時点で矯正作業が終了する。作業者は矯正具本体の直管体をアンカーボルトから引き抜くことで、このアンカーボルトに対する矯正作業が終了する。
請求項１に記載のアンカーボルト姿勢矯正具によれば、矯正具本体の直管体をコンクリート基礎から立ち上がるアンカーボルトに差し込むだけで、アンカーボルトの立ち上り姿勢が正しいか否かを簡単、且つ確実に判断することができる。よって作業者の単なる感覚で判定することでは得られない正確さを確保することができる。
また請求項１に記載のアンカーボルト姿勢矯正具によれば、アンカーボルトの立ち上り姿勢が傾いている場合には、差し入れた矯正具本体の直管体を、水準器を見ながら矯正操作することで、容易且つ確実にアンカーボルトの立ち上がり状態を垂直姿勢に矯正することができる。
【０００８】
請求項２に記載のアンカーボルト姿勢矯正具によれば、上記請求項１に記載の構成による作用効果に加えて、姿勢表示部は、そのキャップ部が矯正具本体の直管体の端部に対して着脱自在に嵌合するように構成しているので、
作業者は、作業に際して、姿勢表示部をそのキャップ部で直管体の一端部に着脱自在に嵌合することで、水準器付きの姿勢表示部を備えたアンカーボルト姿勢矯正具の準備を完了することができる。
そして直管体をその残る他端部側からアンカーボルトに差し込むことで、アンカーボルトの姿勢の良否を前記一端部に嵌合した姿勢表示部の水準器で読み取り、必要に応じて姿勢矯正作業をそのまま続けて行うことができる。
アンカーボルトの姿勢矯正作業が終わると、矯正具本体の直管体に嵌合されている姿勢表示部を外すことで、水準器の備わった姿勢表示器を直間体とは別に保管しておくことができる。
また直管体が使用によって寿命が来た際には、直管体だけを取り替えて、姿勢表示部を引き続き使用することができる。
【０００９】
請求項３に記載のアンカーボルト姿勢矯正具によれば、上記請求項１又は２に記載の構成による作用効果に加えて、矯正具本体は、２種類の内径寸法からなる差し込み穴を直管体の両端に開口して構成しており、姿勢表示部は、そのキャップ部が矯正具本体の直管体の両端部の何れに対しても着脱自在に配置されるように構成しているので、
コンクリート基礎から立ち上がるアンカーボルトに対して、矯正具本体の直管体の何れか適切な内径寸法の差し込み穴を選ぶと共に、その選んだ差し込み穴とは反対側の直管体の端部に姿勢表示部のキャップ部を取り付けることで、異なる内径を持つ２種類のアンカーボルトに対して、それぞれ、その立ち上り姿勢の状態とその姿勢の矯正を適切に行うことができる。なお、一般住宅用では、Ｍ１２、Ｍ１６のアンカーボルトが多用されているので、直管体に形成する２種類の差し込み穴もＭ１２、Ｍ１６に対応する２種類とすることで、１つの直管体でそれらアンカーボルトの姿勢矯正作業をまかなうことができる。
勿論、アンカーボルトの径については他の寸法のものもあるが、それらの複数種類のアンカーボルトに対して、その半分の数の直管体で全ての寸法のアンカーボルトの姿勢矯正を行うことができる。
請求項４に記載のアンカーボルト姿勢矯正具によれば、上記請求項１〜３の何れかに記載の構成による作用効果に加えて、矯正具本体の差し込み穴は、その内径が差し込まれるアンカーボルトの外径に対して、すきまばめのはめあいとなるように構成しているので、
すきまばめのはめあいとなるアンカーボルトに対して、大きな隙間が両者間に生じることなく矯正具本体を差し込むことができる。よってアンカーボルトの姿勢表示や姿勢矯正を正確に行うことができる。中間ばめ、しまりばめでは、現場状況によっては矯正具本体の差し込みが困難となり易い。
【図面の簡単な説明】
【００１０】
【図１】本発明の実施形態に係るアンカーボルト姿勢矯正具の全体斜視図である。
【図２】本発明の実施形態に係るアンカーボルト姿勢矯正具の全体斜視図で、姿勢表示部を外した状態を示す。
【図３】本発明の実施形態に係るアンカーボルト姿勢矯正具の要部を示す断面図である。
【図４】本発明の他の実施形態に係るアンカーボルト姿勢矯正具の要部を示す断面図である。
【図５】本発明の実施形態に係るアンカーボルト姿勢矯正具の操作を説明する斜視図である。
【図６】本発明の実施形態に係るアンカーボルト姿勢矯正具の操作を説明する斜視図である。
【図７】本発明の実施形態に係るアンカーボルト姿勢矯正具の操作を説明する斜視図である。
【図８】従来技術を説明する図である。
【発明を実施するための形態】
【００１１】
以下、各図面を参照して、本発明の実施形態のアンカーボルト姿勢矯正具を説明し、本発明の理解に供する。しかし、以下の説明は特許請求の範囲に記載の本発明を限定するものではない。
【００１２】
図１、図２を参照して、本発明の実施形態に係るアンカーボルト姿勢矯正具は、矯正具本体１０と姿勢表示部２０とを備える。
【００１３】
前記矯正具本体１０は、直管体からなる。この直管体（矯正具本体）１０は金属管から構成することができる。この金属管は、簡単に曲がったり、変形したりしない強度のある金属管、例えばステンレス鋼管とすることができる。勿論、その他の鋼管も可能である。アンカーボルトは通常において鋼製若しくは鉄製であるので、アンカーボルトよりも強度が低いもの、例えばアルミ製管はあまり好ましくない。
金属以外の材料、例えばセラミック製、プラスチック製のものでも、十分な硬度と強度を備えたものであれば可能である。
【００１４】
直管体１０は差し込み穴１１を備えている。この差し込み穴１１は、コンクリート基礎１から立ち上がるアンカーボルト２に対して差し込むための穴である。実際にはアンカーボルト２の方が差し込み穴１１内に入って行く。
差し込み穴１１は１種類の内径寸法からなる１つの差し込み穴として、直管体の中心軸と同軸に構成することができる。また差し込み穴１１は、内径寸法の異なる２種類の差し込み穴として構成することができる。
【００１５】
図２に示すように、本発明の実施形態では、差し込み穴１１として内径寸法が異なる２種類の穴で構成している。即ち、内径寸法が大きい方の大径差し込み穴１１ａと内径寸法が小さい方の小径差し込み穴１１ｂとで構成している。
大径差し込み穴１１ａと小径差し込み穴１１ｂとは、それぞれ直管体１０の一対の端部に開口するように構成されると共に、何れも直管体１０の中心軸に対して同軸で構成され、直管体１０の中央付近で相互に連通するように構成されている。勿論、大径差し込み穴１１ａと小径差し込み穴１１ｂとは必ずしも連通している必要はない。
前記大径差し込み穴１１ａと小径差し込み穴１１ｂについては、例えばＭ１６とＭ１２のアンカーボルトに対応する２種類とする。一般住宅用では、Ｍ１２、Ｍ１６のアンカーボルトが多用されているので、その２種類のアンカーボルトに対応させることで、１本のアンカーボルト姿勢矯正具で矯正作業を速やかに行うことができる。
勿論、前記２種類の差し込み穴１１ａ、１１ｂは、Ｍ１６とＭ１２のアンカーボルト２に必ずしも対応させる必要はない。適当な異なる２つの内径寸法にすればよい。各差し込み穴１１ａ、１１ｂは、その内径寸法よりも小さいアンカーボルト２に対して適用が可能となる。但しアンカーボルト２に差し込まれる大径の差し込み穴１１ａや小径の差し込み穴１１ｂとの隙間が大きすぎると、アンカーボルト２の姿勢矯正が雑になる。本実施形態の場合、前記大径差し込み穴１１ａ及び小径差し込み穴１１ｂは、差し込まれるアンカーボルト２の外径に対して、すきまばめのはめあいとなる内径に構成している。
【００１６】
前記姿勢表示部２０は、キャップ部２１と水準器２２とを備える。
キャップ部２１は、上面が天板２１ａで蓋をされた筒状体として構成されている。該キャップ部２１は前記矯正具本体を構成する直管体１０の端部に対して着脱自在に嵌合して帽着する。
キャップ部２１の上面側に水準器２２が設けられる。この水準器２２は、前記キャップ部２１が直管体１０に取り付けられた状態において、直管体１０がどのような姿勢状態にあるかを表示する機能を果たす。即ち、直管体１０が鉛直状態にある場合には、水準器２２の気泡２２ａが水準器２０の中央に位置され、また直管体１０が鉛直から傾いている場合には、その傾きに対応して気泡２２ａの位置が中央から変位する構成とされている。
水準器２２は、図３、図４に示すような、液体２２ｂの中に気泡２２ａを浮べた形式のものとすることができるが、それに限定されるものではない。直管体１０に取り付けた状態において、直管体１０の姿勢を適切に表示できるものであれば、他の種類の水準器であってもよい。
なお、キャップ部２１は直管体１０に対して着脱自在に螺合する構成にすることもできる。
【００１７】
前記キャップ部２１と直管体１０との嵌合は、図４に示すように、キャップ部２１を直管体１０の端部に嵌合したときに、キャップ部２１の天板２１ａが直管体１０の端面には接しないように、隙間Ｓをもって嵌合するようにしてもよい。これによって、キャップ部２１の直管体１０に対する嵌合姿勢をより安定させることが可能となる。直管体１０の端面は傷付き易いので、キャップ部２１の天板２１ａが直管体１０の端面に接する状態での嵌合は、キャップ部２１の嵌合姿勢、よって水準器２２の取り付け姿勢が経時的に不安定になるおそれがある。
キャップ部２１の安定した嵌合を得るために、キャップ部２１の下端面が当接する段部１２を直管体１０の端部から所定の距離のところに形成することができる。この段部１２は全体として直管体１０の軸心に対して直角の面を構成する。このように段部１２を構成することで、キャップ部２１が直管体１０に嵌合された際に、キャップ部２１の下端面が直管体１０の段部１２に当接し、一方キャップ部２１の天板２１ａは直管体１０の端面から離れる状態となって、キャップ部２１が安定し直管体１０に嵌合し、水準器２２が直管体１０の軸心に対して直角の状態を安定して保つことができる。
【００１８】
図５〜図７を参照して、本実施形態に係るアンカーボルト姿勢矯正具の使用について説明する。
先ず図５に示すように、コンクリ―ト基礎１から上方に突出して立ち上がるアンカ―ボルト２に対して、対応する直管体１０を選択し、アンカーボルトに対応する差し込み穴１１の方を下にし、直管体１０の上端部に姿勢表示部２０をそのキャップ部２１で嵌合して取り付ける。この際、直管体１０を鉛直状態にして、取り付けた姿勢表示部２０の水準器２２が水平状態を示していることを確認し、ズレている場合には嵌合状態を調整し、水平状態となるようにする。
次に図６に示すように、アンカーボルト２に対して直管体１０を差し込む。差し込みはアンカーボルト２の付根付近までが隠れるように行う。差し込み距離は、原則として長い方がアンカーボルト２の姿勢状態をより正確に知る上で良く、アンカーボルト２の立ち上り角度を変える作業を容易、確実に行うことができる。
次にアンカーボルト２に直管体１０を差し込んだ状態で、姿勢表示部２０の水準器２２を見る。水準器２２の気泡２２ａが中央にあって水平を示す場合は、アンカーボルト２が鉛直に立ち上がっていると判断できる。この場合は直管体１０を引き抜いて、そのアンカーボルト２に対する作業を終了する。
一方、図６に示すように、水準器２２の気泡２２ａが水平状態を示す中央位置からズレている場合は、アンカーボルト２の立ち上がりが傾いていると判断できる。この場合には、直管体１０を手で持って、気泡２２ａが水準器２２の中央へと移動するように直管体１０を押し又は引く等する。
図７に示すように、水準器２２の気泡２２ａが中央に位置するようになると、アンカ―ボルト２の姿勢矯正作業を終了し、次のアンカーボルト２に移る。
コンクリート基礎１から立ち上がるアンカーボルト２の直径が別のものになると、必要に応じて、その直径のアンカーボルト２に適切に適用できる差し込み穴１１を持つ直管体１０を選び、その選んだ直管体１０に対して姿勢表示部２０をそのキャップ部２１で嵌合して、アンカーボルト姿勢矯正具とする。
【００１９】
以上のように構成した本発明のアンカーボルト姿勢矯正具によれば、コンクリート基礎１等から突出して立ち上がるアンカ―ボルト２の姿勢状態を速やかに判定し、且つその姿勢を速やかに、確実に矯正することができる。
【産業上の利用可能性】
【００２０】
本発明はコンクリート基礎等から立ち上がるアンカーボルトの姿勢を矯正するアンカーボルト姿勢矯正具として、産業上の利用可能性が高い。
【符号の説明】
【００２１】
１０          直管体（矯正具本体）
１１          差し込み穴
１１ａ        大径差し込み穴
１１ｂ        小径差し込み穴
１２          段部
２０          姿勢表示部
２１          キャップ部
２１ａ        天板
２２          水準器
２２ａ        気泡
２２ｂ        液体
Ｓ            隙間
１            コンクリート基礎
２            アンカーボルト
【図１】
2020117904.tif 000003
【図２】
2020117904.tif 000004
【図３】
2020117904.tif 000005
【図４】
2020117904.tif 000006
【図５】
2020117904.tif 000007
【図６】
2020117904.tif 000008
【図７】
2020117904.tif 000009
【図８】
2020117904.tif 000010